(57)【特許請求の範囲】
【請求項１】
医用画像を得るための検査装置による検査の予約時に登録された第１の検査情報と、検査直前に患者の検査情報が記録された媒体から入力手段により取り込んだ第２の検査情報とを照合し、第１、第２の検査情報の一致不一致を判別する判別手段と、
前記判別手段によって第１、第２の検査情報が一致すると判別されると、前記検査装置による前記患者の検査を許可する第１のフラグを設定し、不一致と判別されると、複数の確認者の前記端末機に検査情報の確認要求を送信するとともに、前記検査装置による前記患者の検査を不許可にする第２のフラグを設定する手段と、
前記複数の確認者の端末機からそれぞれ前記第１の検査情報が正しく前記第２の検査情報に誤りがあったことを示す確認結果、又はそれぞれ前記第２の検査情報が正しく前記第１の検査情報に誤りがあったことを示す確認結果を受信すると、正しい検査情報に基づく前記検査装置による検査を許可すべく前記第２のフラグを第１のフラグに書き換える手段と、
を備えたことを特徴とする検査装置の検査確認システム。
【請求項２】
複数の確認者の端末機に接続されたコンピュータが実行する検査装置の検査確認方法であって、
前記コンピュータが医用画像を得るための検査装置による検査の予約時にサーバに登録された第１の検査情報を患者の識別情報に基づいて取り込むとともに、検査直前に前記患者の検査情報が記録された媒体から第２の検査情報を取り込む工程と、
前記コンピュータが前記取り込んだ第１の検査情報と第２の検査情報とを照合し、前記第１、第２の検査情報の一致不一致を判別する工程と、
前記コンピュータが前記第１、第２の検査情報が一致すると判別されると、前記検査装置による前記患者の検査を許可する第１のフラグを設定する工程と、
前記コンピュータが前記第１、第２の検査情報が一致しないと判別されると、前記検査装置による前記患者の検査を不許可にする第２のフラグを設定するとともに、前記複数の確認者の端末機に検査情報の確認要求を送信する工程と、
前記コンピュータが前記複数の確認者の端末機からそれぞれ前記第１の検査情報が正しく前記第２の検査情報に誤りがあったことを示す確認結果、又はそれぞれ前記第２の検査情報が正しく前記第１の検査情報に誤りがあったことを示す確認結果を受信すると、正しい検査情報に基づく前記検査装置による検査を許可すべく前記第２のフラグを第１のフラグに書き換える工程と、
を含むことを特徴とする検査装置の検査確認方法。
【発明の詳細な説明】
【０００１】
【発明の属する技術分野】
本発明は検査装置の検査確認システム及び方法に係り、特にＸ線ＣＴ装置、ＭＲＩ装置、超音波診断装置などの検査装置において、正しい検査が実施できるように確認する検査確認システム及び方法に関する。
【０００２】
【従来の技術】
従来、Ｘ線ＣＴ画像、ＭＲＩ画像、超音波断層像等の医用画像を得るための検査装置では、検査予約時の検査情報と、検査直前に紙ベース又は電子的に送られた検査情報とが一致しているかどうかを担当技師が人的作業によって確認し、これらの検査情報の一致について疑問が残る場合には、同じ担当技師が依頼元や病院の情報管理部門に問い合わせなどの内容確認を行い、検査開始／中断の決定や検査情報の修正の要求を行っていた。
【０００３】
【発明が解決しようとする課題】
しかしながら、従来は一人の担当技師が検査情報の確認作業を行っているため、その作業にミスが発生するおそれがあった。
【０００４】
本発明はこのような事情に鑑みてなされたもので、病院の各科で検査依頼した所期の検査内容と異なる検査が検査装置で行われることがないようにすることができる検査装置の検査確認システム及び方法を提供することを目的とする。
【０００５】
【課題を解決するための手段】
前記目的を達成するために請求項１に係る検査装置の検査確認システムは、医用画像を得るための検査装置による検査の予約時に登録された第１の検査情報と、検査直前に患者の検査情報が記録された媒体から入力手段により取り込んだ第２の検査情報とを照合し、第１、第２の検査情報の一致不一致を判別する判別手段と、前記判別手段によって第１、第２の検査情報が一致すると判別されると、前記検査装置による前記患者の検査を許可する第１のフラグを設定し、不一致と判別されると、複数の確認者の前記端末機に検査情報の確認要求を送信するとともに、前記検査装置による前記患者の検査を不許可にする第２のフラグを設定する手段と、前記複数の確認者の端末機からそれぞれ前記第１の検査情報が正しく前記第２の検査情報に誤りがあったことを示す確認結果、又はそれぞれ前記第２の検査情報が正しく前記第１の検査情報に誤りがあったことを示す確認結果を受信すると、正しい検査情報に基づく前記検査装置による検査を許可すべく前記第２のフラグを第１のフラグに書き換える手段と、を備えたことを特徴としている。
【０００６】
即ち、前記判別手段は、検査予約時に登録された第１の検査情報と、検査直前に患者の検査情報が記録された媒体（例えば、紙ベース、磁気カード、ＩＣカードなど）から取り込んだ第２の検査情報とを照合する。その照合の結果、２つの検査情報が一致する場合には、検査装置での検査を許可する。
【０００７】
２つの検査情報が一致しない場合には、複数の確認者（例えば、担当医師、技師など）に検査情報の確認をとるために、各確認者の端末機に検査情報の確認要求をメールで送信するとともに、検査装置での検査を不許可にする。複数の確認者から第１又は第２の検査情報に誤りがあったことを示す同じ確認結果を受信すると、正しい検査情報に基づく前記検査装置による検査を許可可能にする。このように２つの検査情報が一致しない場合には、複数の確認者によって確認をとることで、検査装置で誤った検査情報に基づく検査が行われないようにしている。
【０００８】
尚、２つの検査情報のうちの第１の検査情報に誤りがあった場合には、登録されている第１の検査情報を修正させる。これにより、再度、第１、第２の検査情報を照合すると、検査情報が一致し、検査装置での検査が許可されることになる。一方、第２の検査情報に誤りがあった場合には、第１の検査情報に基づく検査装置による検査を許可する。
【０００９】
また、２つの検査情報が一致しなかった場合には、その原因分析報告書の作成要求を確認者に送り、その報告結果と情報確認プロセスを患者又はその家族にオープンにするとともに、データベース化してその後の病院業務の改善に役立てる。更に、患者の指紋、声紋、網膜などの情報を患者情報として取り込み、これを検査情報の照合（特に患者の照合）に利用する。
本発明に係る検査装置の検査方法は、複数の確認者の端末機に接続されたコンピュータが実行する検査装置の検査確認方法であって、前記コンピュータが医用画像を得るための検査装置による検査の予約時にサーバに登録された第１の検査情報を患者の識別情報に基づいて取り込むとともに、検査直前に前記患者の検査情報が記録された媒体から第２の検査情報を取り込む工程と、前記コンピュータが前記取り込んだ第１の検査情報と第２の検査情報とを照合し、前記第１、第２の検査情報の一致不一致を判別する工程と、前記コンピュータが前記第１、第２の検査情報が一致すると判別されると、前記検査装置による前記患者の検査を許可する第１のフラグを設定する工程と、前記コンピュータが前記第１、第２の検査情報が一致しないと判別されると、前記検査装置による前記患者の検査を不許可にする第２のフラグを設定するとともに、前記複数の確認者の端末機に検査情報の確認要求を送信する工程と、前記コンピュータが前記複数の確認者の端末機からそれぞれ前記第１の検査情報が正しく前記第２の検査情報に誤りがあったことを示す確認結果、又はそれぞれ前記第２の検査情報が正しく前記第１の検査情報に誤りがあったことを示す確認結果を受信すると、正しい検査情報に基づく前記検査装置による検査を許可すべく前記第２のフラグを第１のフラグに書き換える工程と、を含むことを特徴としている。
【００１０】
【発明の実施の形態】
以下添付図面に従って本発明に係る検査装置の検査確認システム及び方法の好ましい実施の形態について詳説する。
【００１１】
図１は本発明に係る検査装置の検査確認システムを含む概略図である。
【００１２】
同図に示すように、病院内には受付、診察部門、検査部門、薬局等の部門があり、各部門に設けられたパソコン１は、病院内ＬＡＮを介して病院情報システムのサーバ２と双方向通信ができるようになっている。また、各部門には、指紋測定装置３が設けられており、この指紋測定装置３は測定した指紋データをパソコン１に出力できるようになっている。更に、検査部門には、検査装置（この実施の形態では、Ｘ線ＣＴ装置）４が設けられており、この検査装置４は検査部門のパソコン１と接続されている。
【００１３】
図２は本発明に係る検査装置の検査確認システムの検査手順及び確認手順の実施の形態を示す流れ図である。
【００１４】
図２に示すように検査依頼された検査部門のパソコン１は、病院情報システム（ＨＩＳ）サーバ２から送られたきた検査情報を元に検査予約の登録を行う（ステップＳ１０）。この検査予約では、検査情報にある患者識別情報（患者ＩＤ）からＨＩＳサーバ２に登録されているその患者名や検査条件などの検査情報を取得する。
【００１５】
続いて、パソコン１は、検査開始直前に患者自ら又は病院職員が持参した紙ベース、磁気カード又はＩＣカード等から検査情報を取り込む。尚、紙ベースに記録された検査情報は、パソコンのキーボード等の入力手段によって入力し、カードに記録された検査情報は、パソコン１に付属のカードリーダ等によって取り込む。そして、上記検査予約した検査情報と、検査直前に取り込んだ検査情報とを照合する（ステップＳ１２）。
【００１６】
上記照合した結果、２つの検査情報の同一性に疑いがある場合（以下、「照合エラー」という）には、確認プロセスに移行し、照合エラーがない場合には、ステップＳ１６に移行する（ステップＳ１４）。
【００１７】
ステップＳ１６では、検査装置４での検査を許可するために、患者情報の検査不可フラグに０を設定する。ステップＳ１８では、検査不可フラグが０か否かを判別し、検査不可フラグ＝＝０の場合には、検査装置４での検査を許可し、検査装置４による検査を開始させる（ステップＳ２０）。また、検査不可フラグ＝＝０ではない場合は再び検査依頼に戻る。
【００１８】
一方、ステップＳ１４で照合エラーと判別されると、検査不可フラグに１を設定する（ステップＳ３０）。続いて、担当医師と担当技師などの正副確認者に検査情報を確認させる通知を出す（ステップＳ３２）。例えば、担当医師の端末機には、図３に示すようにポケベル又は電子メールなどで検査情報を確認させる通知を出し、また、その時点で操作している担当技師にも検査装置４の操作卓画面に情報確認させる通知を出す。
【００１９】
続いて、正副確認者が通知内容を確認し、その確認結果を電子メールで返信する（ステップＳ３４）。正副確認者から予約した検査情報が正しいことを確認した電子メールを受信した場合（ステップＳ３６）、ステップＳ１６に進み、検査不可フラグが０に解除される。
【００２０】
一方、正副確認者から検査直前に取り込んだ検査情報が正しいことを確認した電子メールを受信した場合（ステップＳ３８）、即ち、検査予約した検査情報側に誤りがあったことを確認した電子メールを受信した場合には、その検査情報を出した部門に修正の依頼を出す（ステップＳ４０）。上記修正依頼を受けた部門では、検査予約した検査情報の修正を行う（ステップＳ４２）。
【００２１】
上記のようにして検査予約した検査情報の修正が行われた後、再度２つの検査情報の照合が行われ（ステップＳ１４）、検査情報の同一性が確認されると、検査不可フラグが０に解除され（ステップＳ１６）、検査装置４での検査が可能になる。
【００２２】
即ち、照合エラーが発生し、検査不可フラグが１になっている限り、操作者が間違って検査装置４の検査開始ボタンを押しても、照合エラーが発生した患者の検査は開始されず、正副確認者による上述した確認プロセスでの確認作業が適切に行われたときのみ検査装置４での検査が可能になる。尚、上記の検査不可フラグは患者ごとに設定されるため、確認作業中でも別の患者の検査は可能である。
【００２３】
検査終了後、その検査前に確認プロセスを経由したか否か（照合エラーが発生したか否か）が判別され（ステップＳ２２）、確認プロセスを経由した場合には、図４に示すように原因分析報告書の要求を電子メールなどで各確認者に通知する（ステップＳ２４）。各確認者は、図５に示すような原因分析報告書を作成する。このようにして作成された原因分析報告書は、図６に示す確認プロセスログとともに患者又はその家族に通知され（ステップＳ２６）、更にＨＩＳサーバ２に登録される（ステップＳ２８）。登録された情報は、定期的に解析され、病院の業務改善に利用される。
【００２４】
図７は本発明に係る検査装置の検査確認システムの検査手順及び確認手順の他の実施の形態を示す流れ図である。尚、図２に示した流れ図と共通するステップには、同一の符号を付し、その詳細な説明な省略する。
【００２５】
図７に示す確認手順では、患者の指紋データを患者情報とし、検査情報の照合時に指紋データを利用することで患者の取り違えを防止するようにしている。
【００２６】
即ち、ＨＩＳサーバ２には、各患者の検査情報とその患者の指紋データが登録されている。
【００２７】
患者の指紋データは、検査直前に指紋測定装置３によって測定され、患者情報として検査部門のパソコン１に取り込まれる（ステップＳ５０）。一方、パソコン１は、患者ＩＤによりＨＩＳサーバ２からその患者の検査情報及び指紋データを取得する。そして、登録された検査情報及び指紋データと、検査直前に取り込んだ検査情報及び指紋データとを照合する（ステップＳ５２）。
【００２８】
上記照合した結果、２つの検査情報に照合エラーがある場合の他に、更に指紋データのマッチング率が設定値以上でない場合には、図２に示した流れ図と同様に確認プロセスに移行する（ステップＳ５４）。この確認プロセスでは、検査情報の確認とともに患者の確認も行われる。
【００２９】
尚、指紋の測定には、専用の指紋測定装置３、又は高感度のデジタルカメラを利用し、指紋の照合は、指紋データのパターンマッチング、画像データの差分処理により同一性の評価を行う。
【００３０】
また、上記の実施の形態では、患者情報として用いたのは指紋データであるが、これに限らず、網膜や声紋を測定して患者情報として用いてもよい。
【００３１】
更に、この確認システムは、検査部門に適用した場合について説明したが、病院内の受付、診察部門、薬局などにも適用できる。
【００３２】
【発明の効果】
以上説明したように本発明によれば、検査予約時に登録された検査情報と、検査直前に取り込んだ検査情報とを照合した結果、２つの検査情報の同一性が疑わしい場合には、検査装置での検査を不許可にするとともに、自動的に複数の確認者に検査情報の確認をとり、複数の確認者から確認がとれた場合に限り、検査装置での検査を可能にするようにしたため、検査装置で誤った検査情報に基づく検査が行われることを未然に防止することができる。
【００３３】
また、確認プロセスを患者側に通知することで情報開示性を促進するとともに、原因分析をすることで病院業務の改善を図ることができる。
【図面の簡単な説明】
【図１】本発明に係る検査装置の検査確認システムを含む概略図
【図２】本発明に係る検査装置の検査確認システムの検査手順及び確認手順の実施の形態を示す流れ図
【図３】検査情報の確認を指示するメッセージの一例を示す図
【図４】照合エラー時に担当技師に原因分析を指示するメッセージの一例を示す図
【図５】原因分析の報告例を示す図
【図６】確認プロセスログの一例を示す図
【図７】本発明に係る検査装置の検査確認システムの検査手順及び確認手順の他の実施の形態を示す流れ図
【符号の説明】
１…パソコン、２…ＨＩＳサーバ、３…指紋測定装置、４…検査装置
【図１】
0004182278.tif 000002
【図２】
0004182278.tif 000003
【図３】
0004182278.tif 000004
【図４】
0004182278.tif 000005
【図５】
0004182278.tif 000006
【図６】
0004182278.tif 000007
【図７】
0004182278.tif 000008